(57)【要約】【課題】 壁面に対してボード類を着脱可能に取り付ける技術を改良して、吊り具形式にでも支え具形式にでも、任意に選択して使用できるようにする。【解決手段】 ボード本体１の周囲に設けられている枠２のリブ２ａを上下から挟みつける形の係合部を有する吊り・支え兼用具８を構成する。図の（Ａ）に示したように組み合わせると吊り具形式となり、図の（Ｂ）に示したように組み合わせると支え具形式となる。吊り具形式と支え具形式とは、それぞれ長短が有るが、ユーザーの好みに応じて使い分けることができる。【選択図】 図１ 
2005165065.tif 000002
【特許請求の範囲】
【請求項１】
ボード類を壁面に取り付ける装置において、
ボードの枠（２）に形成されているリブ（２ａ）に係合する係合部（８Ｈ）と、壁から突出しているネジ類に引っかけるための孔（８ａ）を設けた板状部（８Ｐ）とを一体的に連設した吊り・支え兼用具（８）を具備しており、
前記係合部（８Ｈ）は、上下に対向する２個のＵ字状のフック（８ｂ，８ｃ）から成る
部材であることを特徴とするボード類の取付装置。
【請求項２】
前記の板状部（８Ｐ）に設けられている引っかけ用の孔（８ａ）は、概要的にＳ字状の溝孔であって、溝孔の中央部付近に幅広部（８ｄ）が形成されていることを特徴とする、請求項１に記載したボードの取付装置。
【発明の詳細な説明】
【技術分野】
【０００１】
本発明は、黒板、ホワイトボード、グリーンボード、掲示板、などのボード類を壁面等に対して係脱自在に取り付ける装置に関するものである。
【背景技術】
【０００２】
図４は、ボード類を係脱自在に取り付けるための従来技術を示し、（Ａ）は古典的な構造の例を描いた部分的正面図、（Ｂ）は比較的新しい構造の例を描いた分解断面図、（Ｃ）は同じく組立断面図である。
本図４に示した従来例は、ボード本体１を囲む枠２に吊り具３が取り付けられており、この吊り具３に、いわゆるダルマ孔３ａが設けられている。
この図４（Ａ）の従来例は周知であるから詳細な説明を省略する。
【０００３】
図４（Ｂ）の従来例は、枠２にリブ２ａが形成されていて、これに対応する支え具５が壁４に固定されている。７はネジである。
前記のリブ２ａを矢印ａのように支え具５に引っかけると、図４（Ｃ）のようにボード本体がが壁面に吊り下げられる。
前記の吊り具３は、使用状態において張力を受けながらボード類を支持し、支え具５は圧縮力を受けながらボード類を支持する。
説明の便宜上、張力によってボード類を支持する部材を吊り具と呼び、圧縮力によってボード類を支持する部材を支え具と呼んで区別する。
【０００４】
図４（Ａ）の従来例（吊り具）は簡単な構造で使い易く、安価な上に耐久性も良いので永い期間に亙って愛用されて来たが、ボード類がインテリアとして認識されるようになって、その意匠的価値が重視されるようになって、「吊り具３」が外観に現れることが嫌われ、これを改善するものとして図４（Ｂ），（Ｃ）のボード類取付け構造（支え具）が開発されて今日に至っている。
しかし図４（Ｂ）から容易に推察できるように支え具部材においては、リブ２ａを支え具５に係合する際、操作者にとってリブ２ａも支え具５も隠れていて見えない。このため、ボード類を壁面に取り付ける操作が難しい。
吊り具部材は基本的に、操作が容易であるが外観が繁雑で意匠的に劣り、
支え具部材は基本的に、外観がシンプルで意匠的に優れるが操作はやや困難である。
【特許文献１】特開２００３−８９２９５号  公報
【発明の開示】
【発明が解決しようとする課題】
【０００５】
前掲の図４（Ａ）に示した従来例と、図４（Ｂ），（Ｃ）に示した従来例とは一長一短が有って優劣をつけ難い。現に生産・供給されている個数から見ると（Ａ）図の古典形の方が多いけれども、（Ｂ），（Ｃ）図の改良型も着実に販路を拡大しつつある。
このような市場調査に基づいて、ボード類メーカーとしては両方の型式を生産しなければならないが、多機種少量生産はコストを上昇させて生産者の経常利益を圧迫するのみでなく、ひいてはユーザーの利益にも反する結果を招く。
本発明は上述の事情に鑑みてなされたものであって、その目的とするところは、
使用者の好みに従って、吊り具として使用することもでき、支え具として使用することもできる、吊り・支え兼用のボード類取付構造を提供するにある。
【課題を解決するための手段】
【０００６】
請求項１に係る発明装置の構成は、（図１および図２参照）ボード類を壁面に取り付ける装置において、
ボードの枠（２）に形成されているリブ（２ａ）に係合する係合部（８Ｈ）と、壁から突出しているネジ類に引っかけるための孔（８ａ）を設けた板状部（８Ｐ）とを一体的に連設した吊り・支え兼用具（８）を具備しており、
前記係合部（８Ｈ）は、上下に対向する２個のＵ字状のフック（８ｂ，８ｃ）から成る
部材であることを特徴とする。
【０００７】
以上に説明した請求項１の発明装置によれば、上下に対向している２個のＵ字状フックの何れか片方を選択してボード枠のリブに嵌め合わせることにより、その選択に応じて吊り具として機能したり、支え具として機能したりして、その要望に応えることができる。
このため生産者は、吊り具好みのユーザーに対しても、支え具好みのユーザーに対しても、単一機種の生産によって対応することができ、少機種大量生産のメリットを享受することができる。
すなわち、大量生産によるコストダウンおよび品質向上を達成することができ、更に、製品の保管、搬送が容易になり、補給部品の在庫負担を軽減することができる。
【０００８】
請求項２に係る発明装置の構成は、前記請求項１の発明装置の構成要件に加えて、（図２参照）前記の板状部（８Ｐ）に設けられている引っかけ用の孔（８ａ）は、概要的にＳ字状の溝孔であって、溝孔の中央部付近に幅広部（８ｄ）が形成されていることを特徴とする。
【０００９】
以上に説明した請求項２の発明装置によると、溝孔に広幅部が設けられているので、吊り具として使用するときは勿論、支え具として使用するときもネジ類（壁面植え込まれて頂部を突出させているネジ釘など）に対して該溝孔を嵌め合わせて引っかける操作が容易である。
更に、従来例のようなダルマ孔でなくＳ字状の溝孔であるから、何らかの事情でボード類を下方から突き上げる方向の外力を受けても、溝孔がネジ類から外れる虞れが無くて安全である。
【発明の効果】
【００１０】
請求項１の発明装置によれば、上下に対向している２個のＵ字状フックの何れか片方を選択してボード枠のリブに嵌め合わせることにより、その選択に応じて吊り具として機能したり、支え具として機能したりして、その要望に応えることができる。
このため生産者は、吊り具好みのユーザーに対しても、支え具好みのユーザーに対しても、単一機種の生産によって対応することができ、少機種大量生産のメリットを享受することができる。
すなわち、大量生産によるコストダウンおよび品質向上を達成することができ、更に、製品の保管、搬送が容易になり、補給部品の在庫負担を軽減することができる。
【００１１】
請求項２の発明装置によると、溝孔に広幅部が設けられているので、吊り具として使用するときは勿論、支え具として使用するときもネジ類（壁面植え込まれて頂部を突出させているネジ釘など）に対して該溝孔を嵌め合わせて引っかける操作が容易である。
更に、従来例のようなダルマ孔でなくＳ字状の溝孔であるから、何らかの事情でボード類を下方から突き上げる方向の外力を受けても、溝孔がネジ類から外れる虞れが無くて安全である。
【発明を実施するための最良の形態】
【００１２】
図１は、本発明に係るボード類の１実施形態を示し、（Ａ）は吊り具として使用している状態を描いた断面側面図、（Ｂ）は支え具として使用している状態を描いた断面側面図である。
ボード本体１および枠２は、図４（Ｂ）に示した従来例におけると同様ないし類似の部材であって、枠２にはリブ２ａが形成されている。符号６は粉受である。
上記リブ２ａを上下から挟みつけて取り付けられる吊り・支え兼用具８が、弾性変形可能な合成樹脂で形成されている。
【００１３】
図２は、前掲の図１に示した吊り・支え兼用具８の詳細を説明するために示したもので、（Ａ）は部分断面を付記した正面図であり、（Ｂ）は前掲の図１（Ａ）におけると同様の方向から見て同様の面で切断して描いた側面図である。
上記の吊り・支え兼用具８は、板状部８Ｐと係合部８Ｈとを一体的に連設した部材である。
板状部８Ｐには、Ｓ字形の溝孔８ａが穿たれていて、その中央部付近は幅広部８ｄになっている。
係合部８Ｈは、上向きＵ字状の吊りフック８ｂと下向きＵ字状の支えフック８ｃとが、仮想の水平線ｈ−ｈに関して対称に配設され、この部分の断面形状は縦に細長いＣ字状をなしている。
【００１４】
上述のような構成の係合部８Ｈが設けられているので、図１（Ａ）に示したように組み合わせて吊り具として用いることもでき、図１（Ｂ）に示したように組み合わせて支え具
として用いることもできる（組み合わせるための構造については、図２を参照して後に説明する）。
図１（Ａ）のように吊り具として用いる場合の長短は、図４（Ａ）の従来形吊り具と同様に、操作が容易で外観が繁雑である。
図１（Ｂ）のように支え具として用いる場合の長短は、図４（Ｂ）、（Ｃ）の従来形支え具と同様に、外観がシンプルで意匠的に優れ、操作は多少難しい。
吊り具として使用したときの長短と、支え具として使用したときの長短は従来例におけると類似であるが、本発明の効果は「単一の製品を、吊り具としても支え具としても、任意に選択して使用できること」である。
【００１５】
図３は、前掲の図２に示した吊り・支え具の板状部８Ｐに設けられているＳ字孔の用法と作用効果とを説明するための模式図である。
本図３の（Ａ）、（Ｂ）、（Ｃ）は、吊り具として用いる場合を表している。
（Ａ）図はボード類を吊り下げている状態であって、吊り・支え具８に対してボード類（図外）の重力荷重Ｗが掛かっているから、相対的にネジ軸７ａは上方に引き上げられる力を受け、該ネジ軸７ａはＳ字孔の上端に位置している。符号７ｂはネジ頭である。
図外のボード類を手で持って支持しながら（Ｂ）図のように右向きの力Ｒを加えると、
ネジ軸７ａは相対的に左方へ寄せられ、Ｓ字形の溝孔に誘導されて、（Ｃ）図のようにＳ字形の溝孔の中央部に移動する（ネジ軸は壁面に固定されている。上記の移動とは、吊り・支え具８に対する相対的な動きを言う）。
Ｓ字形溝８ａの中央部は幅広部８ｄになっているので、ネジ頭７ｂを抜け出させることができる。
【００１６】
本図３の（Ｄ）、（Ｅ）、（Ｆ）は、支え具として用いる場合を表している。
（Ｄ）図はボード類を吊り下げている状態であって、吊り・支え具８に対してボード類（図外）の重力荷重Ｗが掛かっているから、相対的にネジ軸７ａは上方に引き上げられる力を受け、該ネジ軸７ａはＳ字孔の上端に位置している。
図外のボード類を手で持って支持しながら（Ｅ）図のように右向きの力Ｒを加えると、
ネジ軸７ａは相対的に左方へ寄せられ、Ｓ字形の溝孔に誘導されて、（Ｆ）図のようにＳ字形の溝孔の中央部に移動する。
Ｓ字形溝８ａの中央部は幅広部８ｄになっているので、ネジ頭７ｂを抜け出させることができる。
以上に述べたように、吊り具として使用している場合も、支え具として使用している場合も、ボード類を壁から取り外す作業に際して手で加える力（矢印Ｒ）は右向きである。
これは、溝孔の形状をＳ字状に構成したことの効果である。
【図面の簡単な説明】
【００１７】
【図１】本発明に係るボード類取り付け装置の１実施形態を示し、（Ａ）は吊り具として使用している状態を描いた断面側面図、（Ｂ）は支え具として使用している状態を描いた断面側面図である。
【図２】前掲の図１に示した吊り・支え兼用具８の詳細を説明するために示したもので、（Ａ）は部分断面を付記した正面図であり、（Ｂ）は前掲の図１（Ａ）におけると同様の方向から見て同様の面で切断して描いた側面図である。
【図３】前掲の図２に示した吊り・支え具の板状部に設けられているＳ字孔の用法と作用効果とを説明するための模式図である。
【図４】ボード類を係脱自在に取り付けるための従来技術を示し、（Ａ）は古典的な構造の例を描いた部分的正面図、（Ｂ）は比較的新しい構造の例を描いた分解断面図、（Ｃ）は同じく組立断面図である。
【符号の説明】
【００１８】
１…ボード本体
２…枠
２ａ…リブ
３…吊り具
３ａ…だるま孔
４…壁
５…支え具
６…粉受
７…ネジ
７ａ…ネジ軸
７ｂ…ネジ頭
８…吊り・支え兼用具
８ａ…Ｓ字状の孔
８ｂ…吊りフック
８ｃ…支えフック
８ｄ…幅広部
【図１】
2005165065.tif 000003
【図２】
2005165065.tif 000004
【図３】
2005165065.tif 000005
【図４】
2005165065.tif 000006